(57)【要約】【課題】ユーザーが削除したい文字を効率良く削除できる電子機器を提供する。【解決手段】電子機器１は、表示装置２１、入力装置２２、記憶装置３、及び制御部５を備える。表示装置２１は、文字入力画面を表示する。入力装置２２は、文字入力キー、文字削除キー、及び確定キーを有する。記憶装置３は、複数の単語が登録された単語テーブル３１を記憶する。制御部５は、文字入力キーの押下を検知する度に、文字入力キーに対応する文字を文字入力画面に表示させるとともに、文字入力画面に表示された文字のうち、確定キーによって確定されていない未確定の文字から単語テーブル３１に登録された単語が推測できるか否かを判定する。制御部５は、単語が推測できなくなった未確定の文字を削除開始文字として記憶装置３に記憶させる。文字削除キーが１回押下されると、制御部５は、削除開始文字を起点として未確定の文字のうちの少なくとも一部を削除する。【選択図】図１
2018033024.tif 000002
【特許請求の範囲】
【請求項１】
文字入力画面を表示する表示装置と、
操作キーを有する入力装置と、
複数の単語が登録された単語テーブルを記憶する記憶装置と、
前記操作キーの押下を検知する制御部と
を備え、
前記文字入力画面には、文字及びカーソルが表示され、
前記操作キーは、前記文字を入力する文字入力キー、前記文字を削除する文字削除キー、及び前記文字の入力を確定させる確定キーを有し、
前記制御部は、前記文字入力キーの押下を検知する度に、前記文字入力キーに対応する前記文字を前記文字入力画面に表示させるとともに、前記文字入力画面に表示された前記文字のうち、前記確定キーによって確定されていない未確定の前記文字から前記単語が推測できるか否かを判定し、
前記制御部は、前記単語が推測できなくなった前記未確定の文字を削除開始文字として前記記憶装置に記憶させ、
前記制御部は、前記文字削除キーが１回押下された際に前記文字を削除する削除モードとして第１削除モードを有し、
前記制御部は、前記第１削除モードにおいて、前記削除開始文字を起点として前記未確定の文字のうちの少なくとも一部を削除する、電子機器。
【請求項２】
前記制御部は、前記第１削除モードにおいて、前記削除開始文字と、前記削除開始文字に後続する前記未確定の文字とを削除する、請求項１に記載の電子機器。
【請求項３】
前記制御部は、前記削除開始文字に後続するすべての前記未確定の文字を削除する、請求項２に記載の電子機器。
【請求項４】
前記制御部は、前記第１削除モードにおいて、前記削除開始文字から前記カーソルの位置までの前記未確定の文字を削除する、請求項１又は請求項２に記載の電子機器。
【請求項５】
前記制御部は、前記削除モードとして、第２削除モード、第３削除モード及び第４削除モードを更に有し、
前記制御部は、前記第２削除モードにおいて前記未確定の文字をすべて削除し、前記第３削除モードにおいて前記カーソルの位置の前又は後ろに位置する前記文字を指定文字数だけ削除し、前記第４削除モードにおいて前記カーソルの位置の前又は後ろに位置する前記文字を１つ削除し、
前記制御部は、前記第１削除モード、前記第２削除モード、前記第３削除モード及び前記第４削除モードのうちのいずれかを選択する、請求項１〜請求項４のいずれか１項に記載の電子機器。
【請求項６】
文字入力キーの押下を検知すると、検知した前記文字入力キーに対応する文字を、文字入力画面に表示されているカーソルの位置に表示する文字入力受付ステップと、
文字削除キーの１回の押下を検知すると、前記文字入力画面に表示された前記文字を削除する文字削除ステップと
を含み、
前記文字入力受付ステップは、
前記文字入力キーに対応する前記文字を前記文字入力画面に表示させると、前記文字入力画面に表示された前記文字の中から、確定キーによって確定されていない未確定の前記文字を取得する未確定文字取得ステップと、
取得した前記未確定の文字から単語が推測できるか否かを判定する単語判定ステップと、
前記単語が推測できなくなった前記未確定の文字を削除開始文字として記憶装置に記憶させる削除開始文字記憶ステップと
を含み、
前記文字削除ステップは、前記削除開始文字を起点として、前記未確定の文字のうちの少なくとも一部が削除される第１削除ステップを含む、文字入力制御方法。
【請求項７】
前記第１削除ステップでは、前記削除開始文字と、前記削除開始文字に後続する前記未確定の文字とが削除される、請求項６に記載の文字入力制御方法。
【請求項８】
前記第１削除ステップでは、前記削除開始文字に後続するすべての前記未確定の文字が削除される、請求項７に記載の文字入力制御方法。
【請求項９】
前記第１削除ステップでは、前記削除開始文字から前記カーソルの位置までの前記未確定の文字が削除される、請求項６又は請求項７に記載の文字入力制御方法。
【請求項１０】
前記文字削除ステップは、第２削除ステップ、第３削除ステップ、及び第４削除ステップを更に有し、
前記第２削除ステップでは、前記未確定の文字がすべて削除され、前記第３削除ステップでは、前記カーソルの位置の前又は後ろに位置する前記文字が指定文字数だけ削除され、前記第４削除ステップでは前記カーソルの位置の前又は後ろに位置する前記文字が１つ削除され、
前記文字入力制御方法は、前記第１削除ステップ、前記第２削除ステップ、前記第３削除ステップ、及び前記第４削除ステップのいずれかを選択する選択ステップを更に含む、請求項６〜請求項９のいずれか１項に記載の文字入力制御方法。
【請求項１１】
請求項６〜請求項１０のいずれか１項に記載の文字入力制御方法をコンピューターに実行させるための文字入力制御プログラム。
【発明の詳細な説明】
【技術分野】
【０００１】
本発明は、電子機器、文字入力制御方法、及び文字入力制御プログラムに関する。
【背景技術】
【０００２】
携帯端末のような電子機器において、ユーザーは、文字削除キーを押下することによって、入力した文字を１文字ずつ削除することができる。このような構成の電子機器において、複数の文字を削除したい場合、ユーザーは、文字削除キーを複数回押下しなければならない。このため、削除操作に対する煩わしさをユーザーに感じさせるという課題があった。この課題を解決するために、例えば、特許文献１には、文字削除キーの押下時間に応じて、削除される文字数を変化させる文字処理装置が開示されている。
【先行技術文献】
【特許文献】
【０００３】
【特許文献１】特開２０１０−１４６２７１号公報
【発明の概要】
【発明が解決しようとする課題】
【０００４】
しかしながら、特許文献１に開示の文字処理装置では、ユーザーが削除したい文字以外の文字が削除されてしまう場合がある。
【０００５】
本発明は、上記課題に鑑み、ユーザーが削除したい文字を効率良く削除することができる電子機器、文字入力制御方法、及び文字入力制御プログラムを提供することを目的とする。
【課題を解決するための手段】
【０００６】
本発明の電子機器は、表示装置と、入力装置と、記憶装置と、制御部とを備える。前記表示装置は、文字入力画面を表示する。前記入力装置は、操作キーを有する。前記記憶装置は、複数の単語が登録された単語テーブルを記憶する。前記制御部は、前記操作キーの押下を検知する。前記文字入力画面には、文字及びカーソルが表示される。前記操作キーは、文字入力キー、文字削除キー、及び確定キーを有する。前記文字入力キーは、前記文字を入力する。前記文字削除キーは、前記文字を削除する。前記確定キーは、前記文字の入力を確定させる。前記制御部は、前記文字入力キーの押下を検知する度に、前記文字入力キーに対応する前記文字を前記文字入力画面に表示させるとともに、前記文字入力画面に表示された前記文字のうち、前記確定キーによって確定されていない未確定の前記文字から前記単語が推測できるか否かを判定する。前記制御部は、前記単語が推測できなくなった前記未確定の文字を削除開始文字として前記記憶装置に記憶させる。前記制御部は、前記文字削除キーが１回押下された際に前記文字を削除する削除モードとして第１削除モードを有する。前記制御部は、前記第１削除モードにおいて、前記削除開始文字を起点として前記未確定の文字のうちの少なくとも一部を削除する。
【０００７】
本発明の文字入力制御方法は、文字入力受付ステップと、文字削除ステップとを含む。前文字入力受付ステップは、文字入力キーの押下を検知すると、検知した前記文字入力キーに対応する文字を、文字入力画面に表示されているカーソルの位置に表示する。前記文字削除ステップは、文字削除キーの１回の押下を検知すると、前記文字入力画面に表示された前記文字を削除する。前記文字入力受付ステップは、未確定文字取得ステップと、単語判定ステップと、削除開始文字記憶ステップとを含む。前記未確定文字取得ステップは、前記文字入力キーに対応する前記文字を前記文字入力画面に表示させると、前記文字入力画面に表示された前記文字の中から、確定キーによって確定されていない未確定の前記文字を取得する。前記単語判定ステップは、取得した前記未確定の文字から単語が推測できるか否かを判定する。前記削除開始文字記憶ステップは、前記単語が推測できなくなった前記未確定の文字を削除開始文字として記憶装置に記憶させる。前記文字削除ステップは、第１削除ステップを含む。前記第１削除ステップでは、前記削除開始文字を起点として、前記未確定の文字のうちの少なくとも一部が削除される。
【０００８】
本発明の文字入力制御プログラムは、上記の文字入力制御方法をコンピューターに実行させる。
【発明の効果】
【０００９】
本発明によれば、ユーザーが削除したい文字を効率良く削除することができる。
【図面の簡単な説明】
【００１０】
【図１】本発明の実施形態１に係る電子機器の構成を示すブロック図である。
【図２】（ａ）は、本発明の実施形態１に係る文字入力画面の一例を示す図であり、（ｂ）は、図２（ａ）に示す状態において、確定キーが押下された後に表示される文字入力画面を示す図である。
【図３】本発明の実施形態１に係る文字入力制御処理を示すフローチャートである。
【図４】（ａ）は、図２（ｂ）に示す状態において、文字入力キーが押下された後に表示される文字入力画面を示す図であり、（ｂ）は、図４（ａ）に示す状態において、文字入力キーが連続して複数回押下された後に表示される文字入力画面を示す図である。
【図５】図４（ｂ）に示す状態において、文字入力キーが押下された後に表示される文字入力画面を示す図である。
【図６】本発明の実施形態１に係る文字入力受付処理を示すフローチャートである。
【図７】（ａ）は、図５に示す状態において、文字入力キーが連続して複数回押下された後に表示される文字入力画面を示す図であり、（ｂ）は、図７（ａ）に示す状態において、文字削除キーが押下された後に表示される文字入力画面を示す図である。
【図８】本発明の実施形態１に係る文字削除処理を示すフローチャートである。
【図９】（ａ）は、本発明の実施形態１に係る文字入力画面の他例を示す図であり、（ｂ）は、図９（ａ）に示す状態において、文字削除キーが押下された後に表示される文字入力画面を示す図である。
【図１０】本発明の実施形態２に係る削除モード選択画面の一例を示す図である。
【図１１】（ａ）は、本発明の実施形態２に係る文字入力画面の一例を示す図であり、（ｂ）は、図１１（ａ）に示す状態において、文字削除キーが押下された後に表示される文字入力画面を示す図である。
【図１２】本発明の実施形態２に係る文字削除処理を示すフローチャートである。
【図１３】本発明の実施形態２に係る削除文字数指定画面を示す図である。
【図１４】図１１（ａ）に示す状態において、文字削除キーが押下された後に表示される文字入力画面の他例を示す図である。
【図１５】本発明の実施形態２に係る文字削除処理の他例を示すフローチャートである。
【図１６】図１１（ａ）に示す状態において、文字削除キーが押下された後に表示される文字入力画面の更なる他例を示す図である。
【発明を実施するための形態】
【００１１】
以下、図面を参照して、本発明に係る電子機器、文字入力制御方法、及び文字入力制御プログラムの実施形態について説明する。なお、図中、同一又は相当部分については同一の参照符号を付して説明を繰り返さない。また、図面は、理解しやすくするために、それぞれの構成要素を主体に模式的に示している。
【００１２】
［実施形態１］
まず、図１を参照して、実施形態１に係る電子機器１の構成について説明する。図１は、実施形態１に係る電子機器１の構成を示すブロック図である。本実施形態において、電子機器１は、携帯情報端末である。
【００１３】
図１に示すように、電子機器１は、タッチパネル２、記憶装置３、及び制御部５を備える。
【００１４】
タッチパネル２は、液晶ディスプレイ２１及びタッチセンサー２２を有する。液晶ディスプレイ２１は、表示装置の一例である。タッチセンサー２２は、入力装置の一例である。
【００１５】
液晶ディスプレイ２１は、表示面を有する。液晶ディスプレイ２１は、表示面に電子機器１を操作するための操作画面等を表示する。本実施形態において、液晶ディスプレイ２１は、文字入力画面を表示面に表示する。文字入力画面には、各種ボタンが表示される。
【００１６】
タッチセンサー２２は、タッチ面を有する。本実施形態において、タッチ面は、表示面の上に配置される。タッチセンサー２２は、タッチ面に対する押下を検知すると、押下された位置を示す信号を生成する。押下された位置を示す信号は、制御部５へ送信される。制御部５は、表示面に表示されたボタンの中から、受信した信号によって示される位置に対応するボタンを判定する。これにより、制御部５は、ユーザーによって押下されたボタンを取得することができる。本実施形態において、タッチセンサー２２は、抵抗膜方式のタッチセンサーである。なお、タッチセンサー２２は、静電容量方式であってもよい。
【００１７】
記憶装置３は、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）等によって構成される。記憶装置３は、電子機器１の動作を制御するための制御プログラムを記憶する。なお、記憶装置３は、ＨＤＤに替えてＳＳＤ（Ｓｏｌｉｄ  Ｓｔａｔｅ  Ｄｒｉｖｅ）を含み得る。
【００１８】
記憶装置３は、文字入力制御プログラム３２を記憶する。本実施形態において、文字入力制御プログラム３２は、日本語入力プログラムである。日本語入力プログラムは、文字入力モードとして、「ローマ字入力モード」、及び「英数入力モード」を含む。ユーザーは、「ローマ字入力モード」、及び「英数入力モード」のいずれかを文字入力モードとして選択することができる。
【００１９】
記憶装置３は、単語テーブル３１を記憶する。単語テーブル３１には、複数の単語が登録されている。単語テーブル３１は、日本語単語テーブル３１１、及び英単語テーブル３１２を含む。日本語単語テーブル３１１には、例えば、単語「削除」が登録されている。英単語テーブル３１２には、例えば、単語「Ｄｅｌｅｔｅ」が登録されている。本実施形態において、制御部５は、ローマ字入力モードが選択されている場合、日本語単語テーブル３１１を参照し、英数入力モードが選択されている場合、英単語テーブル３１２を参照する。
【００２０】
制御部５は、ＣＰＵ（Ｃｅｎｔｒａｌ  Ｐｒｏｃｅｓｓｉｎｇ  Ｕｎｉｔ）等によって構成される。制御部５は、記憶装置３に記憶された制御プログラムを実行することによって、電子機器１の各部の動作を制御する。本実施形態において、制御部５は、記憶装置３に記憶された文字入力制御プログラム３２を実行することにより、文字入力制御処理を実行する。文字入力制御処理が実行されると、表示面に文字入力画面が表示される。
【００２１】
続いて、図１、図２（ａ）、及び図２（ｂ）を参照して、実施形態１に係る文字入力画面１１について説明する。図２（ａ）は、実施形態１に係る文字入力画面１１の一例を示す図である。図２（ｂ）は、図２（ａ）に示す状態において、確定キーが押下された後に表示される文字入力画面１１を示す図である。
【００２２】
図２（ａ）に示すように、文字入力画面１１は、タッチパネル２に表示される。詳しくは、文字入力画面１１は、液晶ディスプレイ２１の表示面に表示される。
【００２３】
文字入力画面１１は、文字表示欄１１１を含む。また、文字入力画面１１は各種ボタンを含む。本実施形態において、ボタンは、操作キー１１２及び終了ボタン１１８を含む。複数の操作キー１１２は、複数の文字入力キー１１３、文字削除キー１１４、確定キー１１５、変換キー１１６、及び矢印キー１１７を含む。本実施形態において、複数の文字入力キー１１３は、アルファベット文字「Ａ」〜「Ｚ」、及び数字「０」〜「９」に対応する。文字削除キー１１４は、「ＢａｃｋＳｐａｃｅキー」である。確定キー１１５は、「Ｅｎｔｅｒキー」である。変換キー１１６は、「Ｓｐａｃｅキー」である。
【００２４】
文字入力画面１１は、終了ボタン１１８が押下されると終了する。
【００２５】
文字表示欄１１１には、カーソルＣが表示される。また、文字表示欄１１１には、ユーザーによって押下された文字入力キー１１３に対応する文字が表示される。詳しくは、いずれかの文字入力キー１１３がユーザーによって押下されると、タッチセンサー２２は、押下された位置を示す信号を制御部５へ送信する。制御部５は、押下された位置を示す信号を受信すると、押下された文字入力キー１１３を取得し、取得した文字入力キー１１３に対応する文字を取得する。制御部５は、取得した文字ＴをカーソルＣの位置に表示させる。カーソルＣは、表示された文字Ｔの後方へ移動する。
【００２６】
ローマ字入力モードが文字入力モードとして選択されている場合、ローマ字表記法（ローマ字）にしたがって文字入力キー１１３が押下されると、押下された文字入力キー１１３に対応するかな文字が文字表示欄１１１に表示される。また、英数入力モードが文字入力モードとして選択されている場合、押下された文字入力キー１１３に対応するアルファベット文字「Ａ」〜「Ｚ」又は数字「０」〜「９」が文字表示欄１１１に表示される。
【００２７】
また、文字表示欄１１１に表示された文字は、文字削除キー１１４が押下されることによって削除される。本実施形態では、カーソルＣの前方に位置する文字Ｔが削除される。
【００２８】
制御部５は、未確定の文字Ｔの下方に破線Ｌを表示させる。未確定の文字Ｔは、入力が確定されていない文字Ｔである。未確定の文字Ｔは、確定キー１１５の押下が制御部５によって検知されると、入力が確定される。例えば、未確定の文字Ｔが、かな文字である場合、未確定の文字Ｔは、漢字に変換される可能性がある。未確定の文字Ｔは、変換キー１１６の押下が制御部５によって検知されると、漢字などに変換される。
【００２９】
図２（ａ）に示す例では、文字表示欄１１１に４つの文字Ｔ「ま」、「と」、「め」、「て」が表示される。カーソルＣは、最後に入力された文字「て」の直後に表示される。換言すると、カーソルＣは、４つの文字Ｔによって構成される文字列の末尾に表示される。また、４つの文字Ｔ「ま」、「と」、「め」、「て」の下方には、破線Ｌが表示される。すなわち、４つの文字「ま」、「と」、「め」、「て」は、未確定の文字Ｔである。なお、カーソルＣは、矢印キー１１７の押下に応じて移動する。
【００３０】
図２（ａ）に示す状態において、制御部５が確定キー１１５の押下を検知すると、図２（ｂ）に示すように、４つの文字Ｔ「ま」、「と」、「め」、「て」の下方に表示されていた破線Ｌが消える。これにより、ユーザーは、未確定の４つの文字Ｔ「ま」、「と」、「め」、「て」の入力が確定されたことを認識することができる。
【００３１】
続いて、図１〜図３を参照して、実施形態１に係る文字入力制御処理について説明する。図３は、実施形態１に係る文字入力制御処理を示すフローチャートである。文字入力制御処理は、表示面に文字入力画面１１が表示されることで開始される。
【００３２】
図３に示すように、制御部５は、タッチセンサー２２から押下された位置を示す信号を受信したか否かを判定する（ステップＳ１０２）。押下された位置を示す信号を受信していないと制御部５が判定すると（ステップＳ１０２：Ｎｏ）、文字入力制御処理は、ステップＳ１０２へ戻る。一方、制御部５は、押下された位置を示す信号を受信したと判定すると（ステップＳ１０２：Ｙｅｓ）、制御部５は、終了ボタン１１８が押下されたか否かを判定する（ステップＳ１０４）。制御部５は、終了ボタン１１８が押下されていないと判定すると（ステップＳ１０４：Ｎｏ）、押下されたボタンが文字入力キー１１３、文字削除キー１１４、及び確定キー１１５のいずれであるかを判定する（ステップＳ１０６）。
【００３３】
制御部５は、押下されたボタンが文字入力キー１１３であると判定すると（ステップＳ１０６：Ａ）、文字入力受付処理を実行する（ステップＳ１０８）。詳しくは、制御部５は、押下された文字入力キー１１３に対応する文字を文字表示欄１１１に表示させる。また、制御部５は、押下されたボタンが文字削除キー１１４であると判定すると（ステップＳ１０６：Ｂ）、文字削除処理を実行する（ステップＳ１１０）。詳しくは、制御部５は、文字表示欄１１１に表示された文字を削除する。また、制御部５は、押下されたボタンが確定キー１１５であると判定すると（ステップＳ１０６：Ｃ）、文字確定処理を実行する（ステップＳ１１２）。詳しくは、制御部５は、未確定の文字Ｔの入力を確定させる。
【００３４】
ステップＳ１０８、ステップＳ１１０、及びステップＳ１１２のうちのいずれかの処理が実行されると、文字入力制御処理は、ステップＳ１０２へ戻る。
【００３５】
ステップＳ１０４において、終了ボタン１１８が押下されたと制御部５が判定すると（ステップＳ１０４：Ｙｅｓ）、文字入力制御処理は終了する。なお、本実施形態において、文字入力受付ステップは、文字入力受付処理によって実行され、文字削除ステップは、文字削除処理によって実行される。
【００３６】
続いて、図１、及び図４〜図６を参照して、実施形態１に係る文字入力受付処理（図３に示すステップＳ１０８）について説明する。図４（ａ）、図４（ｂ）、及び図５に示す例では、文字「Ｄ」から推測される単語、具体的には、単語「Ｄｅｌｅｔｅ」が単語テーブル３１に登録されているものとする。また、文字列「Ｄｅｌｅｔｅｓ」から推測される単語は、単語テーブル３１に登録されていないものとする。
【００３７】
図４（ａ）は、図２（ｂ）に示す状態において、文字入力キー１１３が押下された後に表示される文字入力画面１１を示す図である。詳しくは、図４（ａ）は、図２（ｂ）に示す状態において、文字「Ｄ」に対応する文字入力キー１１３が押下された後に表示される文字入力画面１１を示す。なお、図４（ａ）に示す例では、文字「Ｄ」に対応する文字入力キー１１３の押下の直前に、文字入力モードが「ローマ字入力モード」から「英数入力モード」に切り替えられたものとする。即ち、図４（ａ）、図４（ｂ）、及び図５に示す例では、制御部５は、英単語テーブル３１２を参照する。
【００３８】
図４（ａ）に示すように、文字表示欄１１１には、５つの文字Ｔ「ま」、「と」、「め」、「て」、「Ｄ」が表示されている。図４（ａ）に示す例では、４つの文字Ｔ「ま」、「と」、「め」、「て」の入力が確定され、文字Ｔ「Ｄ」の入力が未確定である。したがって、制御部５は、未確定の文字Ｔとして「Ｄ」を取得する。
【００３９】
制御部５は、取得した文字Ｔ「Ｄ」から英単語テーブル３１２に登録された単語が推測できるか否かを判定する。詳しくは、制御部５は、取得した文字Ｔ「Ｄ」から始まる単語を英単語テーブル３１２の中から検索する。上述のように、文字「Ｄ」から始まる単語「Ｄｅｌｅｔｅ」が英単語テーブル３１２に登録されている。したがって、単語「Ｄｅｌｅｔｅ」は、取得した文字Ｔ「Ｄ」から推測できる。よって、制御部５は、取得した文字Ｔ「Ｄ」から英単語テーブル３１２に登録された単語を推測できると判定する。
【００４０】
図４（ｂ）は、図４（ａ）に示す状態において、文字入力キー１１３が連続して複数回押下された後に表示される文字入力画面１１を示す図である。詳しくは、図４（ａ）に示す状態において、文字「ｅ」に対応する文字入力キー１１３、文字「ｌ」に対応する文字入力キー１１３、文字「ｅ」に対応する文字入力キー１１３、文字「ｔ」に対応する文字入力キー１１３、及び文字「ｅ」に対応する文字入力キー１１３が連続して押下された後に表示される文字入力画面１１を示す。
【００４１】
図４（ｂ）に示すように、文字表示欄１１１には、複数の文字Ｔ「ま」、「と」、「め」、「て」、「Ｄ」、「ｅ」、「ｌ」、「ｅ」、「ｔ」、「ｅ」が表示されている。図４（ｂ）に示す例では、４つの文字Ｔ「ま」、「と」、「め」、「て」の入力が確定され、６つ文字Ｔ「Ｄ」、「ｅ」、「ｌ」、「ｅ」、「ｔ」、「ｅ」の入力が未確定である。したがって、制御部５は、未確定の文字Ｔとして「Ｄ」、「ｅ」、「ｌ」、「ｅ」、「ｔ」、「ｅ」を取得する。
【００４２】
制御部５は、取得した複数の文字Ｔ「Ｄ」、「ｅ」、「ｌ」、「ｅ」、「ｔ」、「ｅ」よって構成される文字列「Ｄｅｌｅｔｅ」から英単語テーブル３１２に登録された単語が推測できるか否かを判定する。詳しくは、制御部５は、取得した文字列「Ｄｅｌｅｔｅ」から始まる単語を英単語テーブル３１２の中から検索する。上述のように、単語「Ｄｅｌｅｔｅ」が英単語テーブル３１２に登録されている。したがって、単語「Ｄｅｌｅｔｅ」は、取得した文字Ｔによって構成される文字列「Ｄｅｌｅｔｅ」から推測できる。よって、制御部５は、取得した複数の文字Ｔ「Ｄ」、「ｅ」、「ｌ」、「ｅ」、「ｔ」、「ｅ」から英単語テーブル３１２に登録された単語を推測できると判定する。
【００４３】
図５は、図４（ｂ）に示す状態において、文字入力キー１１３が押下された後に表示される文字入力画面１１を示す図である。詳しくは、図５は、図４（ｂ）に示す状態において、文字「ｓ」に対応する文字入力キー１１３が押下された後に表示される文字入力画面１１を示す。
【００４４】
図５に示すように、文字表示欄１１１には、複数の文字Ｔ「ま」、「と」、「め」、「て」、「Ｄ」、「ｅ」、「ｌ」、「ｅ」、「ｔ」、「ｅ」、「ｓ」が表示されている。図５に示す例では、４つの文字Ｔ「ま」、「と」、「め」、「て」の入力が確定され、７つ文字Ｔ「Ｄ」、「ｅ」、「ｌ」、「ｅ」、「ｔ」、「ｅ」、「ｓ」の入力が未確定である。したがって、制御部５は、未確定の文字Ｔとして「Ｄ」、「ｅ」、「ｌ」、「ｅ」、「ｔ」、「ｅ」、「ｓ」を取得する。
【００４５】
制御部５は、未確定の文字Ｔ「Ｄ」、「ｅ」、「ｌ」、「ｅ」、「ｔ」、「ｅ」、「ｓ」によって構成される文字列「Ｄｅｌｅｔｅｓ」から英単語テーブル３１２に登録された単語が推測できるか否かを判定する。詳しくは、制御部５は、取得した文字列「Ｄｅｌｅｔｅｓ」から始まる単語を英単語テーブル３１２の中から検索する。上述のように、文字列「Ｄｅｌｅｔｅｓ」は、英単語テーブル３１２に登録されていない。したがって、取得した文字Ｔによって構成される文字列から英単語テーブル３１２に登録された単語を推測できない。つまり、文字Ｔ「ｓ」は、単語を推測できなくなった未確定の文字Ｔである。制御部５は、文字Ｔ「ｓ」を削除開始文字ＤＴとして記憶装置３に記憶させる。なお、記憶装置３に記憶された削除開始文字ＤＴは、その削除開始文字ＤＴに対応する文字Ｔの入力が確定されると、記憶装置３から消去される。
【００４６】
図６は、実施形態１に係る文字入力受付処理を示すフローチャートである。文字入力受付処理は、押下された文字入力キー１１３に対応する文字Ｔが文字表示欄１１１に表示される度に実行される。換言すると、文字入力受付処理は、文字入力キー１１３の押下が制御部５によって検知される度に実行される（図３に示すステップＳ１０６：Ａ）。
【００４７】
図６に示すように、制御部５は、押下された文字入力キー１１３に対応する文字を文字表示欄１１１に表示させると、未確定文字取得処理を実行する（ステップＳ２０２）。詳しくは、制御部５は、文字表示欄１１１に表示された文字Ｔの中から未確定の文字Ｔを取得する。
【００４８】
制御部５は、未確定の文字Ｔを取得すると、単語判定処理を実行する。詳しくは、制御部５は、未確定の文字Ｔから単語テーブル３１に登録されている単語が推測できるか否かを判定する（ステップＳ２０４）。未確定の文字Ｔから単語テーブル３１に登録されている単語が推測できると制御部５が判定すると（ステップＳ２０４：Ｙｅｓ）、文字入力受付処理は、終了する。一方、制御部５は、未確定の文字Ｔから単語テーブル３１に登録されている単語が推測できないと判定すると（ステップＳ２０４：Ｎｏ）、削除開始文字記憶処理を実行する。詳しくは、制御部５は、押下された文字入力キー１１３に対応する文字Ｔを削除開始文字ＤＴとして記憶装置３に記憶させる（ステップＳ２０６）。これにより、文字入力受付処理が終了する。
【００４９】
なお、本実施形態において、未確定文字取得ステップは、未確定文字取得処理によって実行され、単語判定ステップは、単語判定処理によって実行され、削除開始文字記憶ステップは、削除開始文字記憶処理によって実行される。
【００５０】
次に、図１、図７（ａ）、図７（ｂ）、及び図８を参照して、実施形態１に係る文字削除処理（図３に示すステップＳ１１０）について説明する。本実施形態において、制御部５は、第１削除モードによる文字削除処理を実行する。以下、第１削除モードによる文字削除処理を「第１削除処理」と記載する場合がある。第１削除処理では、削除開始文字ＤＴに後続する未確定の文字Ｔのすべてが削除される。
【００５１】
図７（ａ）は、図５に示す状態において、文字入力キー１１３が連続して複数回押下された後に表示される文字入力画面１１を示す図である。詳しくは、図５に示す状態において、文字「ｉ」に対応する文字入力キー１１３、文字「ｔ」に対応する文字入力キー１１３、文字「ａ」に対応する文字入力キー１１３、及び文字「ｉ」に対応する文字入力キー１１３が連続して押下された後に表示される文字入力画面１１を示す。図７（ｂ）は、図７（ａ）に示す状態において、文字削除キー１１４が押下された後に表示される文字入力画面１１を示す図である。図７（ａ）及び図７（ｂ）に示す例では、未確定の文字Ｔ「ｓ」が削除開始文字ＤＴとして記憶装置３に記憶されているものとする。
【００５２】
図７（ａ）に示すように、文字表示欄１１１には、複数の文字Ｔ「ま」、「と」、「め」、「て」、「Ｄ」、「ｅ」、「ｌ」、「ｅ」、「ｔ」、「ｅ」、「ｓ」「ｉ」、「ｔ」、「ａ」、「ｉ」が表示されている。図７（ａ）に示す例では、４つの文字Ｔ「ま」、「と」、「め」、「て」の入力が確定しており、複数の文字Ｔ「Ｄ」、「ｅ」、「ｌ」、「ｅ」、「ｔ」、「ｅ」、「ｓ」、「ｉ」、「ｔ」、「ａ」、「ｉ」の入力が未確定である。
【００５３】
カーソルＣは、未確定の複数の文字Ｔによって構成される文字列「Ｄｅｌｅｔｅｓｉｔａｉ」の末尾に位置する。
【００５４】
文字削除キー１１４が押下されると、制御部５は、カーソルＣの位置を取得する。本実施形態において、制御部５は、カーソルＣが未確定の範囲内に位置するか否かを判定する。未確定の範囲は、未確定の文字Ｔによって構成される文字列が表示されている範囲を示す。
【００５５】
制御部５は、カーソルＣが未確定の範囲内に位置すると判定すると、記憶装置３に記憶された削除開始文字ＤＴを読み出し、カーソルＣが削除開始文字ＤＴよりも後方に位置するか否かを判定する。制御部５は、カーソルＣが削除開始文字ＤＴよりも後方に位置すると判定すると、削除開始文字ＤＴと削除開始文字ＤＴに後続する未確定の文字Ｔのすべてとを削除する。図７（ａ）及び図７（ｂ）に示す例では、未確定の文字Ｔ「ｓ」が削除開始文字ＤＴである。したがって、図７（ｂ）に破線で示すように、複数の文字Ｔ「ｓ」、「ｉ」、「ｔ」、「ａ」、「ｉ」が削除される。
【００５６】
図８は、実施形態１に係る文字削除処理を示すフローチャートである。文字削除処理は、制御部５が文字削除キー１１４の押下を検知すると開始される（図３に示すステップＳ１０６：Ｂ）。
【００５７】
図８に示すように、制御部５は、カーソルＣの位置を取得し、カーソルＣが未確定の範囲内に位置する否かを判定する（ステップＳ３０２）。制御部５は、カーソルＣが未確定の範囲内に位置すると判定した場合（ステップＳ３０２：Ｙｅｓ）、記憶装置３に記憶されている削除開始文字ＤＴを読み出す（ステップＳ３０４）。次いで、制御部５は、カーソルＣが削除開始文字ＤＴよりも後方に位置するか否かを判定する（ステップＳ３０６）。カーソルＣが削除開始文字ＤＴよりも後方に位置すると制御部５が判定すると（ステップＳ３０６：Ｙｅｓ）、未確定の文字Ｔのうち、削除開始文字ＤＴと削除開始文字ＤＴに後続する文字Ｔのすべてとが削除されることにより（ステップＳ３０８）、文字削除処理が終了する。一方、カーソルＣが未確定の範囲内に位置しないと制御部５が判定した場合（ステップＳ３０２：Ｎｏ）、又はカーソルＣが削除開始文字よりも後方に位置しないと制御部５が判定した場合（ステップＳ３０６：Ｎｏ）、文字表示欄１１１に表示された文字Ｔのうち、カーソルＣの前方に位置する文字が１文字削除されることにより（ステップＳ３１０）、文字削除処理が終了する。
【００５８】
以上、実施形態１について説明した。一般的に、文字表示欄１１１に入力された文字から単語を推測できない場合、誤入力であることが多い。本実施形態によれば、文字入力キー１１３が押下される度に、未確定の文字Ｔによって構成される文字列から単語が推測できるか否かが判定される。そして、単語が推測できなくなった未確定の文字Ｔ（削除開始文字ＤＴ）と、その文字に後続する複数の文字Ｔとが削除される。したがって、ユーザーが削除したい文字を効率良く削除することができる。
【００５９】
なお、本実施形態では、未確定の文字Ｔのうち、削除開始文字ＤＴと削除開始文字ＤＴに後続する文字Ｔのすべてとが削除される場合を例に説明したが、例えば、未確定の文字Ｔのうち、削除開始文字ＤＴと、削除開始文字ＤＴからカーソルＣの位置までのすべての文字Ｔとを削除してもよい。
【００６０】
また、本実施形態において、文字入力モードとして、英数モードが選択された場合を例に説明したが、文字入力モードとして、ローマ字入力モードが選択されてもよい。
【００６１】
ここで、図１、図９（ａ）及び図９（ｂ）を参照して、文字入力モードとして、ローマ字入力モードが選択された場合に実行される文字入力制御処理について説明する。即ち、図９（ａ）及び図９（ｂ）に示す例では、制御部５は、日本語単語テーブル３１１を参照する。
【００６２】
図９（ａ）は、実施形態１に係る文字入力画面１１の他例を示す図である。詳しくは、図９（ａ）は、ローマ字入力モードによって、文字「ｍ」、「ａ」、「ｔ」、「ｏ」、「ｍ」、「ｅ」、「ｔ」、「ｅ」に対応する文字入力キー１１３が押下された後に、確定キー１１５が押下され、その後、文字「ｓ」、「ａ」、「ｋ」、「ｊ」、「ｙ」、「ｏ」、「ｓ」、「ｉ」、「ｔ」、「ａ」、「ｉ」に対応する文字入力キー１１３が押下された後に表示される文字入力画面１１を示す。図９（ｂ）は、図９（ａ）に示す状態において、文字削除キー１１４が押下された後に表示される文字入力画面１１を示す図である。なお、日本語単語テーブル３１１には、「ｋ」から推測できる単語は登録されていないものとする。
【００６３】
図９（ａ）に示すように、文字表示欄１１１には、複数の文字Ｔ「ま」、「と」、「め」、「て」、「さ」、「ｋ」、「じ」、「ょ」、「し」、「た」、「い」が表示されている。図９（ａ）に示す例では、４つの文字Ｔ「ま」、「と」、「め」、「て」の入力が確定しており、複数の文字Ｔ「さ」、「ｋ」、「じ」、「ょ」、「し」、「た」、「い」の入力が未確定である。カーソルＣは、未確定の文字Ｔによって構成される文字列「さｋじょしたい」の末尾に位置する。
【００６４】
図９（ａ）に示す例では、未確定の文字Ｔ「ｋ」から日本語単語テーブル３１１に登録された単語が推測できない。したがって、制御部５は、文字Ｔ「ｋ」を削除開始文字ＤＴとして記憶装置３に記憶させる。
【００６５】
図９（ａ）に示す状態において、文字削除キー１１４が押下されると、制御部５は、削除開始文字ＤＴと削除開始文字ＤＴに後続するすべての文字Ｔとを削除する。したがって、図９（ｂ）に破線で示すように、文字Ｔ「ｋ」、「じ」、「ょ」、「し」、「た」、「い」が削除される。
【００６６】
［実施形態２］
次に、図１、及び図１０〜図１６を参照して、実施形態２について説明する。実施形態２では、制御部５は、複数の削除モードを有し、複数の削除モードのいずれかを選択する点が実施形態１と異なる。以下、実施形態２について実施形態１と異なる事項について説明し、実施形態１と重複する部分についての説明は割愛する。ユーザーは、削除モード選択画面１２に表示された第１削除モードから第４削除モードの中から１つの削除モードを選択することができる。
【００６７】
図１０を参照して、実施形態２に係る削除モード選択画面１２について説明する。図１０は、実施形態２に係る削除モード選択画面１２の一例を示す図である。
【００６８】
図１０に示すように、制御部５は、削除モード選択画面１２をタッチパネル２に表示する。削除モード選択画面１２には、第１削除モードから第４削除モードが指定可能に表示されている。本実施形態において、第１削除モードは、「単語が推測できない部分を削除する。」が指定されることによって選択される。第２削除モードは、「未確定の文字のすべてを削除する。」が指定されることによって選択される。第３削除モードは、「指定文字数を削除する。」が指定されることによって選択される。第４削除モードは、「１文字削除する。」が指定されることによって選択される。図１０に示す例では、第２削除モード「未確定の文字のすべてを削除する。」が指定されている。
【００６９】
また、削除モード選択画面１２には、決定キー１２１、及びキャンセルキー１２２が表示されている。制御部５は、決定キー１２１の押下を検知すると、指定された削除モードを現在の削除モードとして選択する。制御部５は、選択した現在の削除モードを記憶装置３に記憶させて、削除モード選択画面１２を終了させる。また、制御部５は、キャンセルキー１２２の押下を検知すると、削除モード選択画面１２を終了させる。
【００７０】
本実施形態において、制御部５は、文字削除キー１１４が押下されると、記憶装置３に記憶された現在の削除モードを参照し、現在の削除モードにしたがって文字削除処理（第１削除処理〜第４削除処理のいずれか）を実行する。
【００７１】
次に、図１、図１１（ａ）、図１１（ｂ）、及び図１２を参照して、第２削除モードが選択された場合（図１０を参照して説明した「未確定の文字のすべてを削除する。」が指定された場合）に実行される文字削除処理について説明する。以下では、第２削除モードによる文字削除処理を「第２削除処理」と記載する場合がある。
【００７２】
図１１（ａ）は、実施形態２に係る文字入力画面１１の一例を示す図である。図１１（ｂ）は、図１１（ａ）に示す状態において、文字削除キー１１４が押下された後に表示される文字入力画面１１を示す図である。詳しくは、第２削除モードにおいて、文字削除キー１１４が押下された後に表示される文字入力画面１１を示す。
【００７３】
図１１（ａ）に示すように、文字表示欄１１１には、複数の文字Ｔ「ま」、「と」、「め」、「て」、「Ｄ」、「ｅ」、「ｌ」、「ｅ」、「ｔ」、「ｅ」、「ｓ」、「ｉ」、「ｔ」、「ａ」、「ｉ」が表示されている。図１１（ａ）に示す例では、４つの文字Ｔ「ま」、「と」、「め」、「て」の入力が確定され、複数の文字Ｔ「Ｄ」、「ｅ」、「ｌ」、「ｅ」、「ｔ」、「ｅ」、「ｓ」、「ｉ」、「ｔ」、「ａ」、「ｉ」の入力が未確定である。カーソルＣは、未確定の複数の文字Ｔによって構成される文字列「Ｄｅｌｅｔｅｓｉｔａｉ」の末尾に位置する。
【００７４】
文字削除キー１１４が押下されると、制御部５は、カーソルＣの位置を取得する。第２削除処理では、制御部５は、カーソルＣが未確定の範囲内に位置するか否かを判定する。制御部５は、カーソルＣが未確定の範囲内に位置すると判定すると、未確定の文字Ｔのすべてを削除する。したがって、図１１（ｂ）に破線で示すように、未確定の文字Ｔ「Ｄ」、「ｅ」、「ｌ」、「ｅ」、「ｔ」、「ｅ」、「ｓ」、「ｉ」、「ｔ」、「ａ」、「ｉ」のすべてが削除される。
【００７５】
図１２は、実施形態２に係る文字削除処理を示すフローチャートである。詳しくは、第２削除モードによる文字削除処理を示す。文字削除処理は、制御部５が文字削除キー１１４の押下を検知すると開始される。
【００７６】
図１２に示すように、カーソルＣの位置が未確定の範囲内にあると制御部５が判定すると（ステップＳ３０２：Ｙｅｓ）、未確定の文字Ｔのすべてを削除することにより（ステップＳ４０２）、文字削除処理が終了する。一方、カーソルＣの位置が未確定の範囲内にないと制御部５が判定した場合（ステップＳ３０２：Ｎｏ）、文字表示欄１１１に表示された文字Ｔのうち、カーソルＣの前方に位置する文字が１文字削除されることにより（ステップＳ３１０）、文字削除処理が終了する。
【００７７】
続いて、図１、図１３〜図１５を参照して、第３削除モードが選択された場合（図１０を参照して説明した「指定文字数を削除する。」が指定された場合）に実行される文字削除処理について説明する。以下では、第３削除モードによる文字削除処理を「第３削除処理」と記載する場合がある。
【００７８】
図１３は、実施形態２に係る削除文字数指定画面１３を示す図である。図１０を参照して説明した削除モード選択画面１２において、「指定文字数を削除する。」が指定されて決定キー１２１が押下されると、制御部５は、図１３に示すように、タッチパネル２に削除文字数指定画面１３を表示させる。削除文字数指定画面１３では、１回の文字削除キー１１４の押下で削除される文字数を指定することができる。
【００７９】
図１３に示すように、削除文字数指定画面１３は、リストボックス１３１、決定キー１３２、及びキャンセルキー１３３を含む。リストボックス１３１には数字が表示される。図１３に示す例では、数字「３」が表示されている。ユーザーは、リストボックス１３１を操作することによって、リストボックス１３１内に表示された数字を増減させることができる。
【００８０】
制御部５は、決定キー１３２の押下を検知すると、リストボックス１３１内に表示された数字を削除文字数として記憶装置３に記憶させて、削除文字数指定画面１３を終了させる。また、制御部５は、キャンセルキー１３３の押下を検知すると、削除文字数指定画面１３を終了させる。
【００８１】
図１４は、図１１（ａ）に示す状態において、文字削除キー１１４が押下された後に表示される文字入力画面の他例を示す図である。詳しくは、第３削除モードにおいて、文字削除キー１１４が押下された後に表示される文字入力画面１１を示す。図１４に示す例では、削除文字数として「３文字」が記憶装置３に記憶されているものとする。
【００８２】
図１１（ａ）に示す状態において、文字削除キー１１４が押下されると、制御部５は、記憶装置３に記憶されている削除文字数を読み出す。また、制御部５は、カーソルＣの位置を取得する。制御部５は、カーソルＣの位置及び削除文字数を読み出すと、カーソルＣの位置を起点として前方へ削除文字数分の文字Ｔを削除する。したがって、図１４に破線で示すように、カーソルＣの位置から前方に位置する未確定の３つの文字Ｔ「ｔ」、「ａ」、「ｉ」が削除される。なお、第３削除モードでは、カーソルＣが未確定の範囲内に位置するか否かに関わらず、カーソルＣの位置から前方に位置する３つの文字Ｔが削除され得る。
【００８３】
図１５は、実施形態２に係る文字削除処理の他例を示すフローチャートである。詳しくは、第３削除モードによる文字削除処理を示す。文字削除処理は、制御部５が文字削除キー１１４の押下を検知すると開始される。
【００８４】
図１５に示すように、制御部５は、記憶装置３に記憶された削除文字数を読み出す（ステップＳ５０２）。次いで、制御部５は、カーソルＣの位置を取得する。次いで、制御部５は、カーソルＣの位置を起点として前方へ削除文字数分の文字Ｔを削除することにより（ステップＳ５０６）、文字削除処理が終了する。なお、ステップＳ５０２とステップＳ５０４との順序は相互に入れ替え可能である。
【００８５】
次に、図１６を参照して、第４削除モードが選択された場合（図１０を参照して説明した「１文字削除する。」が指定された場合）に実行される文字削除処理について説明する。以下では、第４削除モードによる文字削除処理を「第４削除処理」と記載する場合がある。
【００８６】
図１６は、図１１（ａ）に示す状態において、文字削除キー１１４が押下された後に表示される文字入力画面１１の更なる他例を示す図である。詳しくは、第４削除モードにおいて、文字削除キー１１４が押下された後に表示される文字入力画面１１を示す。
【００８７】
図１１（ａ）に示す状態において、文字削除キー１１４が押下されると、制御部５は、文字表示欄１１１に表示されている文字Ｔのうち、カーソルＣの位置よりも前方の文字Ｔを１文字削除する。したがって、図１６に破線で示すように、カーソルＣの位置から前方に位置する文字Ｔ「ｉ」が１文字削除される。
【００８８】
以上、実施形態２について説明した。本実施形態によれば、制御部５は、第１削除モード、第２削除モード、第３削除モード、及び第４削除モードを有する。ユーザーは、削除モード選択画面１２を操作することによって、第１削除モード、第２削除モード、第３削除モード、及び第４削除モードのうちのいずれかを選択することができる。したがって、本実施形態によれば、ユーザーが削除したい文字をより効率良く削除することができる。
【００８９】
なお、本実施形態において、削除文字数がユーザーによって指定される場合を例に説明したが、削除文字数は、予め記憶装置３に記憶された一定の文字数であってもよい。
【００９０】
以上、本発明の実施形態について、図面（図１〜図１６）を参照しながら説明した。但し、本発明は、上記の実施形態に限られるものではなく、その要旨を逸脱しない範囲で種々の態様において実施することが可能である。
【００９１】
例えば、本発明の実施形態において、入力装置がタッチセンサー２２である場合を例に説明したが、本発明はこれに限定されない。例えば、入力装置は、キーボードなどであり得る。
【００９２】
また、本発明の実施形態におけるステップＳ３１０（図８及び図１２参照）では、カーソルＣの前方に位置する１文字が削除される場合を例に説明したが、ステップＳ３１０では、例えば、カーソルＣの前方に位置する複数の文字Ｔが削除されてもよい。削除される文字数は、予め記憶装置３に記憶された一定の文字数であってもよいし、ユーザーが任意に指定してもよい。
【００９３】
また、本発明の実施形態において、文字削除キー１１４が「ＢａｃｋＳｐａｃｅキー」である場合を例に説明したが、文字削除キー１１４は、「ＢａｃｋＳｐａｃｅキー」に限定されない。文字削除キー１１４は、「Ｄｅｌｅｔｅキー」であってもよい。この場合、カーソルＣの後方に位置する文字Ｔが削除される。
【００９４】
また、本発明の実施形態において、携帯情報端末に本発明が適用される場合を例に説明したが、本発明は、例えば、パーソナルコンピューターなどの電子機器にも適用可能である。
【産業上の利用可能性】
【００９５】
本発明は、電子機器の分野に利用可能である。
【符号の説明】
【００９６】
１        電子機器
２        タッチパネル
３        記憶装置
【図１】
2018033024.tif 000003
【図２】
2018033024.tif 000004
【図３】
2018033024.tif 000005
【図４】
2018033024.tif 000006
【図５】
2018033024.tif 000007
【図６】
2018033024.tif 000008
【図７】
2018033024.tif 000009
【図８】
2018033024.tif 000010
【図９】
2018033024.tif 000011
【図１０】
2018033024.tif 000012
【図１１】
2018033024.tif 000013
【図１２】
2018033024.tif 000014
【図１３】
2018033024.tif 000015
【図１４】
2018033024.tif 000016
【図１５】
2018033024.tif 000017
【図１６】
2018033024.tif 000018